(57)【要約】【課題】部品点数の増大による製造コストの上昇を抑制して、低インダクタンス化を図ることが出来るコネクタ一体型バスバ構造を提供する。【解決手段】Ｔ字板状バスバ基材１２が、円環状に湾曲形成されて、縦板部１２ａの両端部１２ｂ，１２ｃが、径方向Ｄ外側に向けて屈曲されて、両端部１２ｂ，１２ｃの内側面１２ｄ，１２ｅ同士が、対向される。  そして、Ｔ字板状バスバ基材１２の一方の端部１２ｂに一体形成された横板部１２ｔの係止片１２ｆ，１２ｆが、折り曲げられて、他方の端部１２ｃの周囲に係止されることにより、両端部１２ｂ，１２ｃ間が、弾性係合されて、コネクタ部１３が形成されている。【選択図】図１
2010220289.tif 000002
【特許請求の範囲】
【請求項１】
板状バスバ基材を円環状に湾曲形成すると共に、該板状バスバ基材の一部には、相手側端子を挿抜可能として、弾性接続するコネクタ部が一体に設られてなることを特徴とするコネクタ一体型バスバ構造。
【請求項２】
前記板状バスバ基材は、一枚の長板状を呈し、該板状バスバ基材を、円環状に湾曲形成して、該板状バスバ基材の両端部を、径方向外側に向けて屈曲し、内側面同士を対向させると共に、少なくとも、一方の端部を折り曲げて、他方の端部に弾性係合させることにより、前記コネクタ部を形成することを特徴とする請求項１記載のコネクタ一体型バスバ構造。
【請求項３】
前記板状バスバ基材は、縦板部の一端から、直交方向両側に向けて一体に延設される横板部を有して、平面視略Ｔ文字形を呈する一枚のＴ字板状バスバ基材によって構成されて、該Ｔ字板状バスバ基材を円環状に湾曲形成して、該Ｔ字板状バスバ基材の両端部を、径方向外側に向けて屈曲し、該両端部の内側面同士を、対向させると共に、該板状バスバ基材の一端に一体形成された横板部を、折り曲げて、他方の端部に弾性係合させることにより、前記コネクタ部を形成することを特徴とする請求項１記載のコネクタ一体型バスバ構造。
【請求項４】
前記板状バスバ基材は、縦板部の長手方向中間部から、直交方向両側に向けて一体に延設される横板部を有して、平面視略十文字形を呈する一枚の十字状バスバ基材によって構成されて、該十字状バスバ基材の前記縦板部を円環状に湾曲形成して、該縦板部の両端部同士を接続すると共に、該横板部が形成されている前記縦板部材部分を折り返して、前記径方向外側に向けて突設させた折返部を有し、該折返部の周囲に、前記横板部の両端部を折り曲げて、相手部材挿通空間を形成した前記コネクタ部を設けたことを特徴とする請求項１記載のコネクタ一体型バスバ構造。
【請求項５】
前記板状バスバ基材は、平面視で円環状を呈して、通電可能な導体と、該導体に積層されて、前記導体との間に、挿入される電気配線の相手側端子を弾性接続するバネ部材とを有して、前記コネクタ部を一体に形成する少なくとも一組のバスバ層を有し、複数の該バスバ層を、絶縁材を介在させながら、積層したことを特徴とする請求項１記載のコネクタ一体型バスバ構造。
【発明の詳細な説明】
【技術分野】
【０００１】
本発明は、自動車の電動機等を接続するコネクタ一体型バスバ構造に関するものである。
【背景技術】
【０００２】
従来、自動車のコネクタ一体型バスバ構造としては、バスバ部と、コネクタ部とが、別部品で構成されているものが知られている（例えば、特許文献１参照）。
【０００３】
このようなものでは、前記各バスバ部に、各コネクタ部を、ボルト部材及びナット部材を用いて、電気的に導通可能状態で、固定するように構成されている。
【先行技術文献】
【特許文献】
【０００４】
【特許文献１】特開２００６−８１３７８号公報
【発明の概要】
【発明が解決しようとする課題】
【０００５】
しかしながら、このような従来のコネクタ一体型バスバ構造では、バスバ部と、コネクタ部とが、別部品で構成されていると共に、これらのバスバ部に、コネクタ部を、ボルト部材及びナット部材を用いて固定しなければならない。
【０００６】
このため、部品点数が増大してしまうと共に、前記ボルト部材及びナット部材を用いて固定した部分の通電性によっては、インダクタンスも増大してしまう虞があった。
【０００７】
そこで、本発明の目的は、部品点数の増大による製造コストの上昇を抑制して、低インダクタンス化を図ることが出来るコネクタ一体型バスバ構造を提供することにある。
【課題を解決するための手段】
【０００８】
上記目的を達成するために、本発明は、板状バスバ基材を円環状に湾曲形成している。
【０００９】
そして、該板状バスバ基材の一部には、相手側端子を挿抜可能として、弾性接続するコネクタ部が、一体に設られているものである。
【発明の効果】
【００１０】
本発明によれば、前記コネクタ部が、前記板状バスバ基材に、一体に設けられているので、別途、従来のように、固定に用いるボルト部材及びナット部材等の固定具を使用する必要が無くなる。
【００１１】
このため、部品点数が増大することなく、製造コストの上昇を抑制できる。
【００１２】
また、前記板状バスバ基材と、前記コネクタ部とが、同一部材を屈曲する等により、一体に形成出来、低インダクタンス化を図ることができる。
【図面の簡単な説明】
【００１３】
【図１】本発明の実施の形態のコネクタ一体型バスバ構造で、バスバの構成を説明する斜視図である。
【図２】実施の形態のコネクタ一体型バスバ構造で、電動機の構成に適用されるバスバと、インバータとの位置関係を示す分解斜視図である。
【図３】実施の形態のコネクタ一体型バスバ構造で、バスバのコネクタ部の構成を説明する一部透過拡大斜視図である。
【図４】本発明の実施の形態の実施例１のコネクタ一体型バスバ構造で、折り曲げ前の板状バスバ基板の構成を説明する平面図である。
【図５】本発明の実施の形態の実施例２のコネクタ一体型バスバ構造で、バスバの構成を説明する斜視図である。
【図６】実施例２のコネクタ一体型バスバ構造で、折り曲げ前の板状バスバ基板の構成を説明する平面図である。
【図７】本発明の実施の形態の実施例３のコネクタ一体型バスバ構造で、バスバの全体の構成を説明する斜視図である。
【図８】本発明の実施の形態の実施例４のコネクタ一体型バスバ構造で、要部の構成を説明するバスバのコネクタ部の拡大斜視図である。
【図９】実施例４のコネクタ一体型バスバ構造で、折り曲げ前の板状バスバ基板の構成を説明する平面図である。
【図１０】本発明の実施の形態の実施例５のコネクタ一体型バスバ構造で、バスバの要部の構成を説明する拡大斜視図である。
【図１１】本発明の実施の形態の実施例６のコネクタ一体型バスバ構造で、バスバの要部の構成を説明する拡大斜視図である。
【図１２】本発明の実施の形態の実施例７のコネクタ一体型バスバ構造で、（ａ）は、バスバの要部の構成を説明する拡大斜視図、（ｂ）は、一部透過斜視図である。バスバの要部の構成を説明する拡大斜視図である。
【図１３】実施例７のコネクタ一体型バスバ構造で、折り曲げ前の板状バスバ基板の構成を説明する平面図である。
【図１４】本発明の実施の形態の実施例８のコネクタ一体型バスバ構造で、バスバの全体の構成を説明する斜視図である。
【図１５】実施例８のコネクタ一体型バスバ構造で、要部の構成を説明するバスバのコネクタ部の拡大斜視図である。
【図１６】本発明の実施の形態の実施例９のコネクタ一体型バスバ構造で、バスバの全体の構成を説明する斜視図である。
【図１７】実施例９のコネクタ一体型バスバ構造で、図１６中矢視Ａ方向から見たバスバの側面図である。
【図１８】実施例９のコネクタ一体型バスバ構造で、電動機の構成に適用したインバータと、バスバとの位置関係を示す分解斜視図である。
【図１９】実施例１０のコネクタ一体型バスバ構造で、バスバの全体の構成を説明する斜視図である。
【図２０】実施例１１のコネクタ一体型バスバ構造で、バスバの全体の構成を説明する斜視図である。
【発明を実施するための形態】
【００１４】
以下、本発明の実施の形態のコネクタ一体型バスバ構造を図面に基づいて説明する。
【００１５】
図１乃至図２０は、この発明の実施の形態のコネクタ一体型バスバ構造を示すものである。
【００１６】
まず、全体の構成から説明すると、この実施の形態のコネクタ一体型バスバ構造では、図１に示す様に、円環状バスバ１が、一枚の板状バスバ基材としての長板状バスバ基材２を、円環状に湾曲させて、平面視（図１中Ｚ方向視）略真円形状に近似するように形成されたバスバ本体２ａを有して、主に構成されている。
【００１７】
このバスバ本体２ａは、一定の幅方向寸法Ｗを有していて、同一材質の同一部材である金属製の平板状部材によって、素材が構成されるコネクタ部３が、外側面の一部から、外方へ向けて、一体に突設形成されている。
【００１８】
このコネクタ部３は、前記長板状バスバ基材２のうち、湾曲により突き合わせられる両端部２ｂ，２ｃを、各々径方向Ｄ外側に向けて屈曲すると共に、内側面２ｄ，２ｅ同士が対向されて、重ね合わせられた形状を呈している。
【００１９】
また、このコネクタ部３の一方の端部２ｃには、各々内倒方向に折り曲げて、断面形状を略Ｃ字状とすることにより、他方の端部２ｂの外周縁に係止されて、この端部２ｂの周囲を覆う一対の係止片２ｆ，２ｆが、一体に形成されている。
【００２０】
そして、電気的導通が行われる電気配線としての導体４の先端に設けられた相手側端子５が、円環状バスバ１の径方向Ｄ外側から、挿入されて、このコネクタ部３に、弾性接続されるように構成されている。
【００２１】
更に、この実施の形態のコネクタ一体型バスバ構造では、図２に示す様に、電動機６の内部に設けられた円盤状のベースプレート７の一側面７ａの略中央位置に、前記円環状バスバ１が装着されると共に、この一側面７ａの前記円環状バスバ１の周囲には、放射状に、複数のインバータ８…が、整列配置されている。
【００２２】
そして、前記コネクタ部３及びこのコネクタ部３に弾性接続される導体４の相手側端子５は、隣接配置されるこれらのインバータ８，８間に位置して、軸ａ方向では、インバータ８…が装着された上下方向と略同一位置となるように、前記一側面７ａに沿って、径方向Ｄ外側へ向けて延設されている。
【００２３】
次に、この実施の形態のコネクタ一体型バスバ構造の作用効果について説明する。
【００２４】
この実施の形態のコネクタ一体型バスバ構造では、前記コネクタ部３が、前記同一部材である金属製の板状部材としての長板状バスバ基材２の両端部２ｂ，２ｃを屈曲することにより、一体に形成されている。
【００２５】
このため、従来のように、別途、固定に用いるボルト部材及びナット部材等の固定具を使用する必要が無くなり、部品点数が増大することなく、製造コストの上昇を抑制できる。
【００２６】
また、前記バスバ本体２ａと、前記コネクタ部３とが、同一材質で同一部材である長板状バスバ基材２を屈曲することにより、一体に形成されているので、導電性が良好である。
【００２７】
よって、この円環状バスバ１のコネクタ部３に、前記相手側端子５及び導体４を介して、接続されて、用いられる回路では、低インダクタンス化を図ることが可能で、エネルギ効率を向上させることができる。
【００２８】
また、このバスバ本体２ａは、一定の幅方向寸法Ｗを有していて、前記コネクタ部３で、相手側端子５の金属接点５ａを接触させる面を構成する端部２ｂ側面も、同様に一定の幅方向寸法Ｗを有している。
【００２９】
このため、相手側端子５の金属接点５ａの幅方向寸法を、この幅方向寸法Ｗに近づけることにより、更に、低インダクタンス化を図ることが出来る。
【００３０】
しかも、前記導体４に設けられた相手側端子５が、径方向Ｄ外側から、挿入されて、前記コネクタ部３に接続されるので、長板状バスバ基材２の外側方若しくは内側方のスペースを利用することが出来る。
【００３１】
例えば、この実施の形態の図２に示すように、ベースプレート７の一側面７ａに配置されるインバータ８…等では、前記長板状バスバ基材２の外側面から、外方へ向けて、一体に突設形成されているコネクタ部３及び、このコネクタ部３に弾性接続される導体４の相手側端子５が、隣接配置されるインバータ８，８間に配置される。
【００３２】
このため、電動機６のケース内の軸ａ方向寸法を、増大させることなく、インバータ８…が装着された上下方向と略同一位置で、これらのコネクタ部３及び導体４を、前記インバータ８…と同様に、外方に向けて放射状に配置出来る。
【００３３】
このように、前記相手側端子５に接続される相手側部品を、円環状バスバ１の内，外側の所望の位置に配置させることが出来、電動機６内でのスペース効率を良好なものとすることが出来る。
【実施例１】
【００３４】
図３及び図４は、この発明の実施の形態の実施例１のコネクタ一体型バスバ構造を示すものである。なお、前記実施の形態と同一乃至均等な部分については、同一符号を付して説明する。
【００３５】
まず、この実施例１の円環状バスバ１１の構成について説明すると、この実施例１の円環状バスバ１１では、図４に示すような一枚のＴ字板状バスバ基材１２が、一点鎖線で示す山折線ａ…及び二点鎖線で示す谷折線ｂ…位置で、各々山折り及び谷折りされることにより、湾曲及び折曲されて、平面視略真円形状に近似するように形成されている。
【００３６】
この円環状バスバ１１のＴ字板状バスバ基材１２では、一定の幅方向寸法Ｗを有して、長尺長板状の縦板部１２ａの一方の端部１２ｂからは、直交方向両側に向けて一体に延設される横板部１２ｔが、直交して、平面視略Ｔ文字形を呈するように構成されている。
【００３７】
また、この横板部１２ｔの幅方向両端には、係止片１２ｆ，１２ｆが、一体に設けられている。
【００３８】
そして、Ｔ字板状バスバ基材１２が、円環状に湾曲形成されて、図３に示す様に、このＴ字板状バスバ基材１２の縦板部１２ａの両端部１２ｂ，１２ｃが、径方向Ｄ外側に向けて屈曲されて、両端部１２ｂ，１２ｃの内側面１２ｄ，１２ｅ同士が、対向される際、このＴ字板状バスバ基材１２の一方の端部１２ｂに一体形成された横板部１２ｔの前記係止片１２ｆ，１２ｆが、折り曲げられて、前記他方の端部１２ｃの周囲に係止されることにより、両端部１２ｂ，１２ｃ間が、弾性係合されて、コネクタ部１３が形成されている。
【００３９】
更に、この実施例１のコネクタ部１３の両端部１２ｂ，１２ｃの内側面１２ｄ，１２ｅ同士は、前記円環状に湾曲形成されたＴ字板状バスバ基材１２の弾性力によって、常に、近接方向へ付勢されていて弾性係合されている。
【００４０】
また、前記縦板部１２ａの他端部１２ｃ近傍には、図３に示す様に、この折り曲げられた係止片１２ｆ，１２ｆの内側に、位置するように、板厚方向に膨出する弾性凸部１４が、設けられている。
【００４１】
この弾性凸部１４は、図４に示す様に、図中左，右で対となる前記山折線ａ，ａ及び谷折線ｂ，ｂで、各々屈曲されることにより、板厚方向への圧力で、圧縮方向へ弾性変形可能となるように構成されている。
【００４２】
そして、この実施例１の前記弾性凸部１４は、前記縦板部１２ａの弾性力によって、前記内側面１２ｄ方向へ付勢力が与えられて、弾接されている。
【００４３】
また、この実施例１のコネクタ部１３には、図３に示すように、前記内側面１２ｅと内側面１２ｄとの間に、所定の間隙量Ｗ２を有して、前記相手側端子５の金属接点５ａを挿抜可能な挿入孔１３ａが形成されている。
【００４４】
次に、この実施例１のコネクタ一体型バスバ構造の作用効果について説明する。
【００４５】
このように構成された実施例１の円環状バスバ１１では、前記実施の形態の作用効果に加えて、更に、図４に示すように、前記一枚のＴ字板状バスバ基材１２が、一点鎖線で示す山折線ａ…位置で、山折りに、また、二点鎖線で示す谷折線ｂ…位置で、谷折りに各々屈曲されると共に、前記縦板部１２ａが、湾曲形成されることにより、端部１２ｂと端部１２ｃとが突き合わせられて、平面視略真円形状に近似した形状に形成される。
【００４６】
そして、前記係止片１２ｆ，１２ｆが、各々内倒方向に折り曲げられて、断面形状を略Ｃ字状とすることにより、他方の端部１２ｂの外周縁に係止されて、この一方の端部１２ｃの周囲が覆われると、前記端部１２ｂと端部１２ｃとの間が離反不能となると共に、前記一方の端部１２ｂの内側面１２ｅから、膨出形成された弾性凸部１４が、対向する内側面１２ｄに圧接される。
【００４７】
この実施例１では、前記縦板部１２ａの弾性力によって、前記弾性凸部１４が、前記内側面１２ｄ方向へ付勢力を与えられている。
【００４８】
このため、前記挿入孔１３ａに挿入される相手側端子５の金属接点５ａは、円滑に前記挿入孔１３ａ内へ挿抜出来ると共に、挿入された金属接点５ａは、前記弾性凸部１４及び内側面１２ｄと間で、両側から接触されることにより、充分な接触面積を有して挟持される。
【００４９】
従って、接続性が向上して、更に、通電時の低インダクタンス化を図ることが出来る。
【００５０】
他の構成及び作用効果については、前記実施の形態と同一乃至均等であるので説明を省略する。
【実施例２】
【００５１】
図５及び図６は、この発明の実施の形態の実施例２のコネクタ一体型バスバ構造を示すものである。なお、前記実施の形態及び実施例１と同一乃至均等な部分については、同一符号を付して説明する。
【００５２】
まず、この実施例２の円環状バスバ２１の構成について説明すると、この実施例２の円環状バスバ２１では、図６に示すような一枚の板状バスバ基材２２が、一点鎖線で示す山折線ａ…及び二点鎖線で示す谷折線ｂ…位置で、各々山折り及び谷折りされることにより、折曲されると共に、長尺状の縦板部２２ａが、円環状に湾曲されることにより、図５に示すように、全体の形状が、平面視略真円形状に近似するように形成されている。
【００５３】
この実施例２の円環状バスバ２１には、前記縦板部２２ａの両端部２２ｂ，２２ｃに、この縦板部２２ａの延設方向と直交する方向へ延設される立ち上がり部２２ｇ，２２ｈが、一体に設けられていて、内側面２２ｄ，２２ｅ同士を対向させて、近接方向へ付勢力を与えられながら、重ね合わせられるように構成されたコネクタ部２３が、一体に設けられている。
【００５４】
また、前記一方の端部２２ｂの立ち上がり部２２ｇ上端には、前記実施の形態の横板部１２ｔと略同様に、一対の係止片２２ｆ，２２ｆが、一体に突設形成されている。
【００５５】
これらの係止片２２ｆ，２２ｆは、各々内倒方向に折り曲げられて、断面形状が略Ｃ字状となるように形成されている。
【００５６】
そして、前記内側面２２ｄ，２２ｅ同士を対向させた状態で、他方の端部２２ｃの立ち上がり部２２ｈの上端外周縁に係止されて、この上端の周囲が覆われることにより、前記端部２２ｂの立ち上がり部２２ｇと、端部２２ｃの立ち上がり部２２ｈとの間が、一定寸法以上では、離反不能となるように構成されている。
【００５７】
更に、この実施例２では、前記実施の形態と略同様に、前記一方の端部２２ｂの内側面２２ｅから、膨出形成された弾性凸部１４が、対向する内側面２２ｄに圧接されている。
【００５８】
そして、このコネクタ部２３では、軸ａ方向に沿った相手側端子５の挿抜方向に、前記金属接点５ａを挿抜可能な挿入孔２３ａが、一定の間隙を有して、構成されている。
【００５９】
次に、この実施例２のコネクタ一体型バスバ構造の作用効果について説明する。
【００６０】
このように構成された実施例２の円環状バスバ２１では、前記実施の形態及び実施例１の作用効果に加えて、更に、図５に示すように、前記導体４の先端に設けられた相手側端子５が、軸ａ方向に沿って、挿入されて、前記コネクタ部２３に接続される。
【００６１】
このため、前記板状バスバ基材２２の縦板部２２ａの外側方若しくは内側方のスペースを利用して、図２に示すようなインバータ８…と、軸ａ方向の上下位置で重複させたり、或いは、相手側端子５に接続される相手側部品とを、板状バスバ基材２２の内側方若しくは外側方に位置させることが出来、電動機６内でのスペース効率を良好なものとすることが出来る。
【００６２】
他の構成及び作用効果については、前記実施の形態及び実施例１と同一乃至均等であるので説明を省略する。
【実施例３】
【００６３】
図７は、この発明の実施の形態の実施例３のコネクタ一体型バスバ構造を示すものである。なお、前記実施の形態及び実施例１，２と同一乃至均等な部分については、同一符号を付して説明する。
【００６４】
まず、この実施例３の円環状バスバ３１の構成について説明すると、この実施例３の円環状バスバ３１では、前記実施例１の図４に示すような板状バスバ基材２２に相当する二枚の板状バスバ基材３２，３２が、一組用いられて、径方向Ｄで、内外に重ねられて、組み合わせられることにより、主に構成されている。
【００６５】
この各板状バスバ基材３２には、縦板部３２ａの側縁に、複数の接続片３５…が、所定の間隔を置いて、一体に形成されている。
【００６６】
そして、これらの内，外の各板状バスバ基材３２，３２は、前記実施例１の図４に示す円環状バスバ１１と略同様に、各々一点鎖線で示す山折線ａ…及び二点鎖線で示す谷折線ｂ…位置で、山折り及び谷折りされることにより、折曲されると共に、長尺状の板状バスバ基材３２，３２の各縦板部３２ａ，３２ａが、表裏反対方向へ円環状に湾曲されることにより、平面視略真円形状に近似するように形成される。
【００６７】
また、この実施例３では、これらの内，外の各板状バスバ基材３２，３２に一体に形成されるコネクタ部３３，３は、各々径方向Ｄに沿って、内，外に各々突設されるように構成されている。
【００６８】
次に、この実施例３のコネクタ一体型バスバ構造の作用効果について説明する。
【００６９】
このように構成された実施例３の円環状バスバ３１では、前記実施の形態及び実施例１，２の作用効果に加えて、更に、前記板状バスバ基材３２，３２が、径方向Ｄで、内外に重ねて、組み合わせられて、コネクタ部３３，３が各々内，外方向に突設されている。
【００７０】
このため、内，外のコネクタ部３３，３に、個別に、前記相手側端子５，５を接続することで、２相の電気系統に対応させることができる。
【００７１】
しかも、相手側部品が、板状バスバ基材３２，３２の内側方及び外側方に位置するように配置することで、電動機６内でのスペース効率を良好なものとすることが出来る。
【００７２】
他の構成及び作用効果については、前記実施の形態及び実施例１，２と同一乃至均等であるので説明を省略する。
【実施例４】
【００７３】
図８及び図９は、この発明の実施の形態の実施例４のコネクタ一体型バスバ構造を示すものである。なお、前記実施の形態及び実施例１乃至３と同一乃至均等な部分については、同一符号を付して説明する。
【００７４】
まず、この実施例４の円環状バスバ４１の構成について説明すると、この実施例４の円環状バスバ４１は、前記実施例２の円環状バスバ２１の変形例である。
【００７５】
前記実施例２との相違点を中心に説明すると、この実施例４の円環状バスバ４１では、一枚の板状バスバ基材４２が、一点鎖線で示す山折線ａ…及び二点鎖線で示す谷折線ｂ…位置で、各々山折り及び谷折りされることにより、折曲されると共に、長尺状の縦板部４２ａが、円環状に湾曲されることにより、平面視略真円形状に近似するように形成されている。
【００７６】
この実施例４の円環状バスバ４１では、前記縦板部４２ａの両端部４２ｂ，４２ｃに、この縦板部４２ａの延設方向と直交する方向へ延設される立ち上がり部４２ｇ，４２ｈが、一体に設けられている。
【００７７】
これらの立ち上がり部４２ｇ，４２ｈの上端部からは、径方向延設片４２ｊ，４２ｋが、円環状に形成された状態で、図８に示すように、径方向Ｄの外側に向けて突設されるように一体に設けられている。
【００７８】
そして、これらの径方向延設片４２ｊ，４２ｋの内側面４２ｄ，４２ｅ同士が対向されて、近接方向へ付勢力を与えられながら、重ね合わせられるように構成されている。
【００７９】
このうち、前記一方の径方向延設片４２ｊ先端には、前記実施例１の横板部１２ｔに相当する部分に、一対の係止片４２ｆ，４２ｆが、一体に形成されている。
【００８０】
これらの係止片４２ｆ，４２ｆは、各々内倒方向に折り曲げられて、断面形状が略Ｃ字状となるように形成されることより、他方の径方向延設片４２ｋの先端部４２ｎの外周縁に係止されて、周囲が覆われることにより、前記径方向延設片４２ｊ及び４２ｋとの間が、一定寸法以上では、離反不能となるように構成されている。
【００８１】
そして、前記一方の径方向延設片４２ｋの内側面４２ｅから、膨出形成された弾性凸部１４が、対向する内側面４２ｄに圧接されて、軸ａ方向に沿った相手側端子５の挿抜により、前記金属接点５ａが挿抜可能な挿入孔４３ａが、設けられたコネクタ部４３が、構成されている。
【００８２】
次に、この実施例４のコネクタ一体型バスバ構造の作用効果について説明する。
【００８３】
このように構成された実施例４の円環状バスバ４１では、前記実施の形態及び実施例１乃至３の作用効果に加えて、更に、図８に示すように、前記立ち上がり部４２ｇ，４２ｈが、前記コネクタ部４３の軸ａ方向に沿った高さ方向位置を、前記縦板部４２ａ位置から、オフセットさせて、設けることが出来る。
【００８４】
このため、前記図２に示すようなインバータ８，８間に設けなくても、高さ方向で、これらのインバータ８と重複する位置に設けて、各インバータ８…を、前記ベースプレート７上に、略均等となるように、放射状に配置できる。
【００８５】
しかも、前記立ち上がり部４２ｇ，４２ｈの軸ａ方向に沿った高さ方向寸法を異ならせることにより、２相以上の複数相のバスバを構成することが容易に出来る。
【００８６】
他の構成及び作用効果については、前記実施の形態及び実施例１乃至３と同一乃至均等であるので説明を省略する。
【実施例５】
【００８７】
図１０は、この発明の実施の形態の実施例５のコネクタ一体型バスバ構造を示すものである。なお、前記実施の形態及び実施例１乃至４と同一乃至均等な部分については、同一符号を付して説明する。
【００８８】
まず、この実施例５の円環状バスバ５１の構成について説明すると、この実施例５の円環状バスバ５１は、前記実施例４の円環状バスバ４１，４１を、用いた変形例である。
【００８９】
すなわち、この実施例５の円環状バスバ５１は、前記実施例４の円環状バスバ４１，４１を、軸ａ方向で上下方向を反対向きとして、一対用いて、板状バスバ基材４２，４２部分が、板厚方向である径方向Ｄに、内外で重ね併せられている。
【００９０】
そして、これらの円環状バスバ４１，４１では、前記コネクタ部４３，４３が、軸ａ方向の上下位置で重ね併せられるように、構成されている。
【００９１】
次に、この実施例５の円環状バスバ５１の作用効果について、説明する。
【００９２】
このように構成されたこの実施例５の円環状バスバ５１では、前記円環状バスバ４１，４１のコネクタ部４３，４３が、軸ａ方向に沿って、上下に位置している。
【００９３】
このため、２相のバスバのコネクタ部４３，４３を、周上の同位相に位置させることができる。
【００９４】
他の構成及び作用効果については、前記実施の形態及び実施例１乃至３と同一乃至均等であるので説明を省略する。
【実施例６】
【００９５】
図１１は、この発明の実施の形態の実施例５のコネクタ一体型バスバ構造を示すものである。なお、前記実施の形態及び実施例１乃至５と同一乃至均等な部分については、同一符号を付して説明する。
【００９６】
まず、この実施例６の円環状バスバ６１の構成について説明すると、この実施例６の円環状バスバ６１は、前記実施例４の円環状バスバ４１，４１を、２つ重ねると共に、周方向で、所定寸法Ｗ１、ずらして前記コネクタ部４３，４３を位置させている。
【００９７】
次に、この実施例６の円環状バスバ６１の作用効果について、説明する。
【００９８】
このように構成されたこの実施例６の円環状バスバ６１では、前記実施例４の円環状バスバ４１，４１が、２つ重ねられて、２枚の板状バスバ基材４２，４２が、径方向Ｄで、重複されている。
【００９９】
しかも、前記コネクタ部４３，４３の位置が、周方向で、所定寸法Ｗ１、ずらされて、相互に干渉することなく、２つ以上の多位相の前記コネクタ部４３，４３…を設けることが出来る。
【０１００】
従って、更に、低インダクタンス化を図ることが出来る。
【０１０１】
他の構成及び作用効果については、前記実施の形態及び実施例１乃至４と同一乃至均等であるので説明を省略する。
【実施例７】
【０１０２】
図１２及び図１３は、この発明の実施の形態の実施例７のコネクタ一体型バスバ構造を示すものである。なお、前記実施の形態及び実施例１乃至６と同一乃至均等な部分については、同一符号を付して説明する。
【０１０３】
まず、この実施例７の円環状バスバ７１の構成について説明すると、この実施例７の円環状バスバ７１は、図１３に示すような板状バスバ基材としての一枚の十字状バスバ基材７２を用いて、主に構成されている。
【０１０４】
この十字状バスバ基材７２は、縦板部７２ａの長手方向中間部から、直交方向両側に向けて、一体に延設される横板部７２ｂを有して、平面視略十文字形を呈するように構成されている。
【０１０５】
そして、この実施例７では、前記円環状バスバ７１が、円環状に形成される際、この十字状バスバ基材７２の前記縦板部７２ａが、湾曲形成されると共に、この縦板部７２ａの両端部７２ｃ，７２ｄ同士が、付き合わせられて接続される。
【０１０６】
更に、この実施例７の円環状バスバ７１では、図１３に示す一点鎖線で示された山折線ａ…及び二点鎖線で示された谷折線ｂ…位置で、各々山折り及び谷折りされることにより、これらの縦板部７２ａ及び横板部７２ｂによって、図１２（ａ）に示す様なコネクタ部７３が形成されるように構成されている。
【０１０７】
すなわち、このコネクタ部７３には、前記径Ｄ方向の外側に向けて突設させた折返部７３ａが設けられていて、二つ折りに折り返されることにより、前記縦板部７２ａが、２枚重ねとなるように重合されている。
【０１０８】
そして、前記横板部７２ｂの係止片７２ｆ，７２ｆが、内倒方向に折曲される一側面側で、しかも、前記折返部７３ａ近傍には、図１２（ｂ）に示すように、これらの折曲された係止片７２ｆ，７２ｆの内側に位置して、これらの係止片７２ｆ，７２ｆの内側面７２ｇ，７２ｇ方向に膨出する弾性膨出部７３ｂが、形成されている。
【０１０９】
そして、この弾性膨出部７３ｂの頭頂面部７３ｃと、前記折返部７３ａの周囲に、前記横板部７２ｂの両端部の係止片７２ｆ，７２ｆが、内倒方向に折り曲げられて位置する内側面７２ｇ，７２ｇとの間には、一定の幅方向間隔寸法Ｗ３を有する相手部材挿通空間７４が形成されている。
【０１１０】
この相手部材挿通空間７４内では、図示省略の前記相手側端子５の金属接点５ａが、円滑に挿抜可能となるように、前記弾性膨出部７３ｂが、面方向内外に、前記弾性変形可能に構成されている。
【０１１１】
また、この金属接点５ａが、前記相手部材挿通空間７４に挿入された状態では、前記頭頂面部７３ｃと、係止片７２ｆ，７２ｆの内側面７２ｇ，７２ｇとの間で、この金属接点５ａが、両側面から弾性保持されるように構成されている。
【０１１２】
次に、この実施例７の円環状バスバ７１の作用効果について、説明する。
【０１１３】
このように構成されたこの実施例７の円環状バスバ７１では、前記実施の形態及び実施例１乃至６の作用効果に加えて、更に、縦板部７２ａの何れの箇所にも、前記コネクタ部７３を形成することが可能である。
【０１１４】
このため、レイアウトの自由度を更に向上させることができる。
【０１１５】
他の構成及び作用効果については、前記実施の形態及び実施例１乃至６と同一乃至均等であるので説明を省略する。
【実施例８】
【０１１６】
図１４及び図１５は、この発明の実施の形態の実施例８のコネクタ一体型バスバ構造を示すものである。なお、前記実施の形態及び実施例１乃至７と同一乃至均等な部分については、同一符号を付して説明する。
【０１１７】
まず、この実施例８の円環状バスバ８１の構成について説明すると、この実施例８の円環状バスバ８１は、前記実施例７のコネクタ部７３のように、折返し部７３ａによって、弾性付勢力を与えられる複数のコネクタ部８３…が、前記実施例４の構成と略同様に、立ち上がり部８２ｇ，８２ｈによって、各々支持されて一体に設けられている。
【０１１８】
これらのコネクタ部８３…は、縦板部８２ａに一定の間隔を置いて、設けられていて、円環状に形成された状態では、周上に、均等間隔を置いて位置するように構成されている。
【０１１９】
次に、この実施例８の円環状バスバ８１の作用効果について、説明する。
【０１２０】
このように構成されたこの実施例８の円環状バスバ８１では、前記実施の形態及び実施例１乃至７の作用効果に加えて、更に、一つの円環状バスバ８１に複数の前記コネクタ部８３…を形成することが可能である。
【０１２１】
他の構成及び作用効果については、前記実施の形態及び実施例１乃至７と同一乃至均等であるので説明を省略する。
【実施例９】
【０１２２】
図１６乃至図１８は、この発明の実施の形態の実施例９のコネクタ一体型バスバ構造を示すものである。なお、前記実施の形態及び実施例１乃至８と同一乃至均等な部分については、同一符号を付して説明する。
【０１２３】
まず、この実施例９の円環状バスバ９１の構成について説明すると、この実施例９の円環状バスバ９１は、平面視で円環状で、しかも、板状のリング板状バスバ基材９２を、通電可能な導体によって構成している。
【０１２４】
この実施例９の円環状バスバ９１では、軸ａ方向の上下両側面に、一対のリング板状バスバ基材９２，９２が設けられていると共に、これらのリング板状バスバ基材９２，９２間に積層される上下一対のバネ部材９３，９３が設けられて、二組のバスバ層９０，９０が構成されている。
【０１２５】
そして、各バスバ層９０の各リング板状バスバ基材９２と、バネ部材９３との間には、所定の寸法ｗ４の隙間からなる間隙９４ａ…が、各々設けられていて、挿入される導体４端部に設けられた相手側端子５の金属接点５ａが、この直接、この間隙９４ａに挿入されることにより、上下方向から、前記バネ部材９３の弾性力によって挟持されて、接続されるように構成されたコネクタ部９４，９４が、一体に形成されている。
【０１２６】
更に、この実施例９では、前記コネクタ部９４，９４を一体に形成する二組のバスバ層９０，９０間が、軸ａ延設方向に上下で積層され、前記バネ部材９３，９３間に、絶縁材９５を介在させることにより、これらの積層された二組のバスバ層９０，９０間が、電気的に絶縁されている。
【０１２７】
次に、この実施例９の円環状バスバ９１の作用効果について説明する。
【０１２８】
このように構成された実施例９の円環状バスバ９１では、前記実施の形態及び実施例１乃至８の作用効果に加えて、更に、図１８に示すように、前記同一ベースプレート７上に装着されるインバータ８…を、放射状に配置出来る。
【０１２９】
他の構成及び作用効果については、前記実施の形態及び実施例１乃至８と同一乃至均等であるので説明を省略する。
【実施例１０】
【０１３０】
図１９は、この発明の実施の形態の実施例１０のコネクタ一体型バスバ構造を示すものである。なお、前記実施の形態及び実施例１乃至９と同一乃至均等な部分については、同一符号を付して説明する。
【０１３１】
まず、この実施例１０の円環状バスバ１０１の構成について説明すると、この実施例１０の円環状バスバ１０１は、平面視で円環状で、しかも、板状のリング板状バスバ基材９２ｐ，９２ｎが、バスバ層を構成するＰＮバスバとして、２組設けられていて、上下方向に、ＰＮＮＰの順序となるように、上からリング板状バスバ基材９２ｐ，９２ｎ，９２ｎ，９２ｐの順序で、積層されている。
【０１３２】
これらの各リング板状バスバ基材９２ｐ，９２ｎからは、各々複数のコネクタ部としての接続片９８…及び９９…が、周上で一定の間隔を置いて一体に設けられることにより、放射状に相手側部材を接続可能としている。
【０１３３】
このうち、上下に位置するリング板状バスバ基材９２ｐ，９２ｐ同士は、側面視略コ字状の接続部材９６によって、接続されている。
【０１３４】
そして、このうち、上側に位置するリング板状バスバ基材９２ｐからは、棒板状の導体１０４ｐが、径方向Ｄの外側に向けて、一体に延設されている。
【０１３５】
また、、これらのリング板状バスバ基材９２ｐ，９２ｐ間に、位置するリング板状バスバ基材９２ｎ，９２ｎ同士は、側面視略コ字状の接続部材９７によって、接続されている。
【０１３６】
そして、このうち、上側に位置するリング板状バスバ基材９２ｎからは、棒板状の導体１０４ｎが、径方向Ｄの外側に向けて、一体に延設されている。
【０１３７】
次に、この実施例１０の円環状バスバ１０１の作用効果について説明する。
【０１３８】
このように構成された実施例１０の円環状バスバ１０１では、前記実施の形態及び実施例１乃至８の作用効果に加えて、更に、図１８に示すように、前記複数の接続片９８…及び９９…が、周上で一定の間隔を置いて一体に設けられることにより、放射状に、前記インバータ８…を、同一ベースプレート７上に配置出来る。
【０１３９】
他の構成及び作用効果については、前記実施の形態及び実施例１乃至９と同一乃至均等であるので説明を省略する。
【実施例１１】
【０１４０】
図２０は、この発明の実施の形態の実施例１１のコネクタ一体型バスバ構造を示すものである。なお、前記実施の形態及び実施例１０と同一乃至均等な部分については、同一符号を付して説明する。
【０１４１】
まず、この実施例１１の円環状バスバ１１１の構成について説明すると、この実施例１１の円環状バスバ１１１は、前記実施例１０と略同様に構成された前記リング板状バスバ基材９２ｐ，９２ｎが、ＰＮバスバとして、２組設けられていて、上下方向に、ＰＮＮＰの順序となるように、上からリング板状バスバ基材９２ｐ，９２ｎ，９２ｎ，９２ｐの順序で、積層されている。
【０１４２】
そして、これらのリング板状バスバ基材９２ｐ，９２ｐ間及びリング板状バスバ基材９２ｎ，９２ｎ間が、各々複数の側面視略コ字状の接続部材９６…及び９７…によって、接続されている。
【０１４３】
次に、この実施例１１の円環状バスバ１１１の作用効果について説明する。
【０１４４】
このように構成された実施例１１の円環状バスバ１１１では、前記実施の形態及び実施例１乃至１０の作用効果に加えて、更に、図１８に示すように、前記リング板状バスバ基材９２ｐ，９２ｐ間及びリング板状バスバ基材９２ｎ，９２ｎ間が、各々複数の側面視略コ字状の接続部材９６…及び９７…によって、接続されている。
【０１４５】
このため、更に、インダクタンスを低減させることができる。
【０１４６】
他の構成及び作用効果については、前記実施例１０と同一乃至均等であるので、説明を省略する。
【０１４７】
以上、図面を参照して、本発明の実施の形態及び実施例１乃至１１を詳述してきたが、具体的な構成は、この実施の形態及び実施例１乃至１１に限らず、本発明の要旨を逸脱しない程度の設計的変更は、本発明に含まれる。
【０１４８】
即ち、前記実施の形態の実施例１０，１１では、ＰＮバスバが、２組設けられていて、上下方向に、ＰＮＮＰの順序となるように、上からリング板状バスバ基材９２ｐ，９２ｎ，９２ｎ，９２ｐの順序で、積層されているが、特にこれに限らず、例えば、上からリング板状バスバ基材９２ｎ，９２ｐ，９２ｐ，９２ｎの順序で、積層されている等、どのような順序で積層されていても良く、バスバ層９０の順序、形状、数量及び材質が特に限定されるものではない。
【符号の説明】
【０１４９】
１，１１，２１，３１，４１，５１，６１，７１，８１，９１，１０１，１１１
円環状バスバ
２              長板状バスバ基材（板状バスバ基材）
３，１３，２３，３３，４３，７３，８３，９４
コネクタ部
５              相手側端子
１２            Ｔ字板状バスバ基材（板状バスバ基材）
１２ａ          縦板部
１２ｔ          横板部
１２ｆ，１２ｆ  係止片
７２            十字状バスバ基材
７２ａ          縦板部
７２ｂ          横板部
７３ａ          折返し部
７４            相手部材挿通空間
９８，９９      接続片（コネクタ部）
【図１】
2010220289.tif 000003
【図２】
2010220289.tif 000004
【図３】
2010220289.tif 000005
【図４】
2010220289.tif 000006
【図５】
2010220289.tif 000007
【図６】
2010220289.tif 000008
【図７】
2010220289.tif 000009
【図８】
2010220289.tif 000010
【図９】
2010220289.tif 000011
【図１０】
2010220289.tif 000012
【図１１】
2010220289.tif 000013
【図１２】
2010220289.tif 000014
【図１３】
2010220289.tif 000015
【図１４】
2010220289.tif 000016
【図１５】
2010220289.tif 000017
【図１６】
2010220289.tif 000018
【図１７】
2010220289.tif 000019
【図１８】
2010220289.tif 000020
【図１９】
2010220289.tif 000021
【図２０】
2010220289.tif 000022